(57)【要約】  フィギュア又はキャラクタ部材と起動手段とを含む玩具又はゲーム装置。起動手段のユーザーの作動は、フィギュア又はキャラクタ部材の少なくとも一部を振動及び／又は揺動させ、前記振動又は揺動は、時折及び／又はある期間が経過した後に生じる。【選択図】図１
2019508195.tif 000002
【特許請求の範囲】
【請求項１】
玩具又はゲーム装置であって、該装置は、フィギュア又はキャラクタ部材と起動手段とを含み、該起動手段のユーザーの作動は、前記フィギュア又はキャラクタ部材の少なくとも一部を振動及び／又は揺動させ、該振動又は揺動は、時折及び／又はある期間が経過した後に生じる、玩具又はゲーム装置。
【請求項２】
前記起動手段のユーザーの作動は、前記フィギュア又はキャラクタ部材の少なくとも一部を、時折振動及び／又は揺動させる、請求項１に記載の玩具又はゲーム装置。
【請求項３】
前記起動手段の作動は、時折及び／又は時には前記キャラクタ部材の振動及び／又は揺動を引き起こすのみである、請求項２に記載の玩具又はゲーム装置。
【請求項４】
前記起動手段のそれぞれの及び／又はあらゆる作動が前記フィギュア又はキャラクタ部材の揺動をもたらさない、請求項３に記載の玩具又はゲーム装置。
【請求項５】
振動又は揺動は、前記作動のうちのいくつかにおいてのみ生じる、請求項１に記載の玩具又はゲーム装置。
【請求項６】
前記ユーザー又はプレーヤーは、どの作動又は前記起動手段が前記フィギュア又はキャラクタ部材の振動又は揺動を引き起こすことになるのか予測できない、請求項１に記載の玩具又はゲーム装置。
【請求項７】
前記起動手段はタイマーを含む、請求項１に記載の玩具又はゲーム装置。
【請求項８】
前記起動手段の作動は、所定の長さの時間の計時を始めるために、前記タイマーを始動し、設定し、又は作動させる、請求項７に記載の玩具又はゲーム装置。
【請求項９】
前記フィギュア又はキャラクタ部材は、所定の又は設定された長さの時間が経過した後に振動及び／又は揺動し始める、請求項８に記載の玩具又はゲーム装置。
【請求項１０】
前記キャラクタ又はフィギュア部材は、所定の又は設定された長さの時間が経過し、前記ユーザーがその後前記起動手段を作動させた後に、振動及び／又は揺動し始める、請求項７に記載の玩具又はゲーム装置。
【請求項１１】
前記起動手段は掛け金係合機構を含む、請求項１に記載の玩具又はゲーム装置。
【請求項１２】
前記掛け金係合機構は、前記起動手段及び／又は前記フィギュア又はキャラクタ部材の比較的軽い接触及び／又は小さい動きが前記振動及び／又は揺動を作動又は開始し得るように、付勢される及び／又は釣合いをとられる、請求項１１に記載の玩具又はゲーム装置。
【請求項１３】
前記起動手段は回転可能部材を含む、請求項１に記載の玩具又はゲーム装置。
【請求項１４】
前記起動手段は蛇口又は栓の形態である、請求項１３に記載の玩具又はゲーム装置。
【請求項１５】
前記蛇口の回転又は部分的回転は、前記キャラクタ又はフィギュア部材の少なくとも一部の前記振動及び／又は揺動を時折引き起こすか作動させ得る、請求項１４に記載の玩具又はゲーム装置。
【請求項１６】
前記起動手段は作動機構又は揺動機構を含む、請求項１に記載の玩具又はゲーム装置。
【請求項１７】
前記起動手段の作動は、らせん状に巻く及び／又は前記揺動機構と関連しているバネに、より多くの張力を作り出す、請求項１６に記載の玩具又はゲーム装置。
【請求項１８】
さらなる作動又は回転は、前記バネに、より大きい張力を作り出し、振動部材又は発振部材を起動するために十分な張力に到達するまで周期的に継続し、前記フィギュア又はキャラクタのうちの少なくとも一部において振動運動及び／又は揺動運動を生成する、請求項１７に記載の玩具又はゲーム装置。
【請求項１９】
前記振動部材又は発振部材は、１つ以上の回転カム及び／又は同様のものを含む、請求項１８に記載の玩具又はゲーム装置。
【請求項２０】
前記振動、揺動及び／又は発振は、１つ以上の回転磁石により引き起こされる、請求項１８に記載の玩具又はゲーム装置。
【請求項２１】
前記装置は、前記起動手段及び／又は揺動機構を作動させるランダム又は一見ランダムな級数でプログラムされたマイクロプロセッサを含む、請求項１又は１６に記載の玩具又はゲーム装置。
【請求項２２】
前記装置は、フィギュア部材の前記キャラクタの少なくとも一部が中に配置されるか位置する容器部分を含む、請求項１〜２１のいずれか一項に記載の玩具又はゲーム装置。
【請求項２３】
前記容器の上部は開いており、液体を含むか保持することができる、請求項２２に記載の玩具又はゲーム装置。
【請求項２４】
前記容器部分は、ある量の水を保持し、前記起動手段のユーザーの作動が前記キャラクタ又はフィギュア部材の少なくとも一部分が振動又は揺動することを引き起こすかその誘因となるとき、この動きは、前記水のいくらかが噴霧されるかまき散らされることを引き起こす、請求項２３に記載の玩具又はゲーム装置。
【請求項２５】
前記キャラクタ又はフィギュア部材は動物の形態であり、前記動物キャラクタ又はフィギュアは実質的に可撓性材料部分を含む、請求項２４に記載の玩具又はゲーム装置。
【請求項２６】
前記キャラクタ又はフィギュア部材は、犬であるか、犬のようなキャラクタの形態であり、前記犬の少なくとも前記耳及び／又は毛皮は、実質的に可撓性材料から形成される、請求項２５に記載の玩具又はゲーム装置。
【請求項２７】
前記装置は盤部分を含むか盤部分と関連している、請求項１〜２６のいずれか一項に記載の玩具又はゲーム装置。
【請求項２８】
前記盤部分は、ゲーム駒、トークン、チップ及び／又は同様のものが使用の際に位置するか置かれるべき前記盤の部分又は場所を示す１つ以上の標示を含む、請求項２７に記載の玩具又はゲーム装置。
【請求項２９】
前記盤部分は、複数の標示であって、そのうちの少なくともいくつかは、前記起動手段がユーザー又はプレーヤーにより作動されるべき回数を指定する複数の標示を含む、請求項２７に記載の玩具又はゲーム装置。
【請求項３０】
前記キャラクタ又はフィギュア部材及び／又は前記容器部分は、前記盤上に配置されるか位置し、前記標示は、前記キャラクタ部材及び／又は前記容器部分の少なくとも一部を実質的に囲む及び／又は前記キャラクタ部材及び／又は前記容器部分の少なくとも一部の周りに配置される、請求項２９に記載の玩具又はゲーム装置。
【請求項３１】
２人以上のユーザー又はプレーヤーは、交代でトークン又は駒を前記盤の周りで移動させ、前記フィギュアを揺動させない及び／又は揺動を最小又は最少の回数で前記標示の端まで移動できる前記プレーヤーが前記ゲームに勝つ、請求項３０に記載の玩具又はゲーム装置。
【請求項３２】
前記装置は、１つ以上のサイコロであって、前記盤のどの部分へ駒を移動させなければならないか、及び／又は何カ所前に移動し得るかを示す標示を含む１つ以上のサイコロを含む、請求項３１に記載の玩具又はゲーム装置。
【請求項３３】
前記装置は、前記フィギュア又はキャラクタ部材及び／又はそこから延びる前記可撓性材料部分を櫛でとかすかブラッシングするために使用されるブラシ部材を含む、請求項２５に記載の玩具又はゲーム装置。
【請求項３４】
前記フィギュア又はキャラクタ部材をブラッシングすることは、前記フィギュア又はキャラクタ部材の前記振動及び／又は揺動を作動及び／又は起動し得る、請求項３３に記載の玩具又はゲーム装置。
【請求項３５】
前記装置は液体分注器を含み、ユーザーは、水を前記分注器から、前記キャラクタ又はフィギュア部材上へ及び／又は前記容器部分内へ分注する、請求項２３に記載の玩具又はゲーム装置。
【請求項３６】
玩具装置を製造する方法であって、該装置は、フィギュア又はキャラクタ部材と起動手段とを含み、該起動手段のユーザーの作動は、前記フィギュア又はキャラクタ部材の少なくとも一部を振動及び／又は揺動させ、前記振動又は揺動は、時折及び／又はある期間が経過した後に生じ、前記方法は、振動機構又は揺動機構を前記フィギュア又はキャラクタ部材の少なくとも一部と係合させるステップを含む、方法。
【請求項３７】
玩具装置を使用するか玩具装置で遊ぶ方法であって、該装置は、フィギュア又はキャラクタ部材と起動手段とを含み、前記起動手段のユーザーの作動は、前記フィギュア又はキャラクタ部材の少なくとも一部を振動及び／又は揺動させ、前記振動又は揺動は、時折及び／又はある期間が経過した後に生じる、方法。
【請求項３８】
典型的には、２人以上のユーザー又はプレーヤーがいる場合、各プレーヤーは交代で前記起動手段を少なくとも１回作動させる、請求項３７に記載の玩具装置を使用するか玩具装置で遊ぶ方法。
【発明の詳細な説明】
【技術分野】
【０００１】
本願が関連する本発明は、玩具、ゲーム又はおもちゃの形態の装置、並びにそれを製造及び使用する方法である。
【０００２】
以下の説明は、もっぱら子どもの玩具及びその使用に言及するが、当業者は、本発明は、大人向きの改作物及び／又は同様のものにも使用することができ、子どものための玩具に限定されないことを認めるだろう。
【背景技術】
【０００３】
フィギュア又はキャラクタであって、その動きが、タイマーと結合されることの多い起動部により作動されるか引き起こされるフィギュア又はキャラクタを備えた子どもの玩具又はゲームを提供することが知られている。
【０００４】
そのような玩具は比較的単純であり、一方向の動きのみを含むことが多い。例えば、人気のゲームＢｕｃｋａｒｏｏ（登録商標）では、ラバのフィギュアの上にアイテムを置くことにより、フィギュアにキックさせるか後ろ足を蹴り上げさせ、そのようにして、その特定のアイテムを置いているユーザがゲームに負ける。
【発明の概要】
【発明が解決しようとする課題】
【０００５】
したがって、先行技術に関連する前述の問題に対処する改良された装置を提供することは、本発明の狙いである。
【０００６】
先行技術に関連する前述の問題に対処する装置を製造する方法を提供することは、本発明の別の狙いである。
【０００７】
先行技術に関連する前述の問題に対処する装置を使用する方法を提供することは、本発明のなおさらなる狙いである。
【課題を解決するための手段】
【０００８】
本発明の第１態様において、玩具又はゲーム装置であって、該装置は、フィギュア又はキャラクタ部材と起動手段とを含み、起動手段のユーザーの作動は、フィギュア又はキャラクタ部材の少なくとも一部を振動及び／又は揺動させ、前記振動又は揺動は、時折及び／又はある期間が経過した後に生じる玩具又はゲーム装置が提供される。
【０００９】
好適な実施形態において、起動手段のユーザーの作動は、フィギュア又はキャラクタ部材の少なくとも一部を、時折振動及び／又は揺動させる。典型的には、起動手段の作動は、時折及び／又は時にはキャラクタ部材の振動及び／又は揺動を引き起こすのみである。
【００１０】
さらに典型的には時折、又は時折の作動というのは、起動手段のそれぞれの及び／又はあらゆる作動がフィギュア又はキャラクタ部材の揺動をもたらさないことを意味する。
【００１１】
典型的には、振動又は揺動は、作動のうちのいくつかにおいてのみ生じる。さらに典型的には、起動手段の作動は、稀に、断続的に、不規則に、一定期間ごとに、及び／又はそうでなければ散発的に又は無作為に、フィギュア又はキャラクタ部材を振動又は揺動させる。
【００１２】
したがって、好適な実施形態において、ユーザー又はプレーヤーは、どの作動又は起動手段がフィギュア又はキャラクタ部材の振動又は揺動を引き起こすことになるのか予測できない。さらに典型的には、そのような配置構成は、玩具装置の１人以上のユーザー又はプレーヤーにとってあやふやな状態を作り出す。
【００１３】
一実施形態において、起動手段はタイマーを含む。典型的には、起動手段の作動は、所定の長さの時間の計時を始めるために、タイマーを始動し、設定し、又は作動させる。
【００１４】
一実施形態において、キャラクタ又はフィギュア部材は、所定の又は設定された長さの時間が経過した後に振動及び／又は揺動し始める。
【００１５】
一実施形態において、キャラクタ又はフィギュア部材は、所定の又は設定された長さの時間が経過し、ユーザーが起動手段を作動させた後に振動及び／又は揺動し始める。この実施形態において、振動又は揺動は、時間が経過し、ユーザーが起動手段を作動させた後に、ユーザーによる起動手段の作動時に生じる。
【００１６】
一実施形態において、起動手段は掛け金係合機構を含む。
【００１７】
一実施形態において、掛け金係合機構は、起動手段及び／又はフィギュア又はキャラクタ部材の比較的軽い接触及び／又は小さい動きが振動及び／又は揺動を作動又は開始し得るように、付勢される及び／又は釣合いをとられる。
【００１８】
好適な実施形態において、起動手段は回転可能部材を含む。典型的には、起動手段は、蛇口、栓及び／又は同様のものの形態である。さらに典型的には、蛇口の回転又は部分的回転は、キャラクタ又はフィギュア部材の少なくとも一部の振動及び／又は揺動を時折引き起こすか作動させ得る。
【００１９】
一実施形態において、起動手段は、作動機構又は揺動機構を含む。典型的には、揺動機構は、バネ、磁石、カム、発振部材、回転部材、軸及び／又は同様のもののうちの任意の１つ又は任意の組合せを含む。
【００２０】
一実施形態において、起動手段の作動は、通常は回転により、らせん状に巻く及び／又は揺動機構と関連しているバネに、より多くの張力を作り出す。通常は第２の又はさらなるユーザーによる、さらなる作動又は回転は、より大きい張力を作り出す。これは、フィギュア又はキャラクタのうちの少なくとも一部において動きを生成する、振動部材又は発振部材を起動するために十分な張力に到達するまで、周期的に継続する。
【００２１】
一実施形態において、振動部材又は発振部材は、１つ以上の回転カム及び／又は同様のものを含む。
【００２２】
一実施形態において、振動、揺動及び／又は発振は、１つ以上の回転磁石により引き起こされる。典型的には、前記磁石は前記揺動機構内に組み込まれる。
【００２３】
一実施形態において、装置は、マイクロプロセッサを含む。典型的には、マイクロプロセッサは、起動手段及び／又は揺動機構を作動させるランダム又は一見ランダムな級数でプログラムされる。
【００２４】
一実施形態において、装置は、フィギュア部材のキャラクタの少なくとも一部が中に配置されるか位置する容器部分を含む。典型的には、容器部分は、バスタブ及び／又は同様のものなど、上部が開いた容器である。
【００２５】
さらに典型的には、容器部分は液体を含むか保持することができる。
【００２６】
一実施形態において、容器部分は、ある量の水を保持する。典型的には、起動手段のユーザーの作動がキャラクタ又はフィギュア部材の少なくとも一部分が振動又は揺動することを引き起こすかその誘因となるとき、この動きは、水のいくらかが噴霧されるかまき散らされることを引き起こす。
【００２７】
本発明の好適な実施形態において、キャラクタ又はフィギュア部材は動物の形態である。典型的には、動物キャラクタ又はフィギュアは、実質的に可撓性材料部分を含む。さらに典型的には、実質的に可撓性材料部分は、キャラクタ又はフィギュア部材から延在する毛皮、耳、尾及び／又は同様のものなどの動物の特徴を形成又は表す。したがって、動物キャラクタ部材が振動又は揺動するとき、材料部分もまた移動し、それにより、動きの視覚的効果を強化する。
【００２８】
加えて、水又は他の液体が容器部分及び／又はキャラクタ又はフィギュア部材自体に加えられる場合、キャラクタ又はフィギュア部材が振動又は揺動すると、材料部分は、液体の小滴がまき散らされることを引き起こす。
【００２９】
好ましくは、キャラクタ又はフィギュア部材は犬であるか、犬のようなキャラクタの形態である。典型的には、犬の少なくとも耳及び／又は毛皮は実質的に可撓性材料から形成される。
【００３０】
一実施形態において、装置は盤部分を含むか盤部分と関連している。典型的には、盤部分は１つ以上の標示を含む。さらに典型的には、１つ以上の標示は、ゲーム駒、トークン、チップ及び／又は同様のものが使用の際に位置するか置かれるべき盤の部分又は場所を示す。
【００３１】
一実施形態において、盤部分は、複数の標示であって、そのうちの少なくともいくつかが、起動手段がユーザー又はプレーヤーにより作動されるべき回数を指定する複数の標示を含む。したがって、ゲームをプレーするとき、ユーザーが比較的大きい数の作動を指定する標示に着く場合、ユーザーがフィギュア又はキャラクタ部材を振動又は揺動させるリスクはより大きく及び／又はその機会はより高い。
【００３２】
一実施形態において、キャラクタ又はフィギュア部材及び／又は容器部分は盤上に配置されるか位置する。典型的には、キャラクタ部材及び／又は容器部分は、盤上で、実質的に中央に配置される。さらに典型的には、標示はキャラクタ部材及び／又は、容器部分の少なくとも一部を実質的に囲む及び／又はキャラクタ部材及び／又は容器部分の少なくとも一部の周りに配置される。
【００３３】
典型的には、２人以上のユーザー又はプレーヤーは、交代でトークン又は駒を盤の周りで移動させる。フィギュアを揺動させない及び／又は揺動を最小又は最少の回数で標示の端まで移動できるプレーヤーがゲームに勝つ。さらに典型的には、ユーザーが揺動を起動すると、彼らは後ろに移動しなければならない及び／又は標示のスタートへ戻らなければならない。
【００３４】
一実施形態において、装置は１つ以上のサイコロを含む。典型的には、サイコロは、盤のどの部分へ駒を移動させなければならないか及び／又は何カ所前に移動し得るかを示す標示を含む。
【００３５】
一実施形態において、装置はブラシ部材を含む。典型的には、ブラシ部材は、フィギュア又はキャラクタ部材及び／又はそこから延びる可撓性材料部分を櫛でとかすかブラッシングするために使用される。
【００３６】
一実施形態において、フィギュア又はキャラクタ部材をブラッシングすることは、フィギュア又はキャラクタ部材の振動及び／又は揺動を作動及び／又は起動し得る。
【００３７】
一実施形態において、装置は液体分注器を含む。典型的には、分注器は、噴霧器、ホース、蛇口及び／又は同様のものである。さらに典型的には、ユーザーは、水を分注器から、キャラクタ又はフィギュア部材上へ及び／又は容器部分内へ分注する。
【００３８】
典型的には、キャラクタ部材をブラッシングする及び／又は洗うユーザーの行為は、ゲームで遊んでいる間に彼らが着く盤上での場所又は標示に依存する。
【００３９】
本発明の第２態様において、玩具装置を製造する方法であって、前記装置は、フィギュア又はキャラクタ部材と起動手段とを含み、起動手段のユーザーの作動は、フィギュア又はキャラクタ部材の少なくとも一部を振動及び／又は揺動させ、前記振動又は揺動は、時折及び／又はある期間が経過した後に生じ、前記方法は、振動機構又は揺動機構を前記フィギュア又はキャラクタ部材の少なくとも一部と係合させるステップを含む方法が提供される。
【００４０】
本発明の第３態様において、玩具装置を使用するか玩具装置で遊ぶ方法であって、前記装置は、フィギュア又はキャラクタ部材と起動手段とを含み、起動手段のユーザーの作動は、フィギュア又はキャラクタ部材の少なくとも一部を振動及び／又は揺動させ、前記振動又は揺動は、時折及び／又はある期間が経過した後に生じる方法が提供される。
【００４１】
典型的には、２人以上のユーザー又はプレーヤーがいる場合、各プレーヤーは交代で起動手段を少なくとも１回作動させる。
【００４２】
本発明のさらなる態様において、キャラクタ又はフィギュア部材と、振動機構又は発振機構と、少なくとも１つの起動手段とを含むゲームであって、起動手段の作動は、キャラクタ部材の振動、発振及び／又は揺動を開始してもしなくてもよく、又は、振動機構にキャラクタ部材の振動、発振及び／又は揺動を引き起こしても引き起こさなくてもよいゲームが提供される。
【００４３】
本発明の実施形態はここで、添付図面を参照して説明される。
【図面の簡単な説明】
【００４４】
【図１】本発明の実施形態による装置の斜視図を示す。
【図２】本発明の実施形態による装置の斜視図を示す。
【図３】本発明の実施形態による装置の斜視図を示す。
【図４】本発明の実施形態による装置の斜視図を示す。
【図５】本発明の実施形態による装置の斜視図を示す。
【図６】本発明の実施形態による装置の斜視図を示す。
【図７】本発明の実施形態による装置の斜視図を示す。
【図８】本発明の実施形態による装置の斜視図を示す。
【図９】本発明の実施形態による装置の斜視図を示す。
【図１０】本発明の実施形態による装置の斜視図を示す。
【発明を実施するための形態】
【００４５】
本発明は、玩具又はゲーム装置であって、ユーザーは、本例では蛇口をひねることにより、起動部を作動させ、この回転は、フィギュアを揺動又は発振を始めるよう作動させるか、フィギュアに揺動又は発振を始めさせることがあってもなくてもよい玩具又はゲーム装置に関する。
【００４６】
図１を参照すると、キャラクタフィギュア４、本例においては犬を含む装置２が示されているが、当業者は他のフィギュア又は動物も用いられ得ることを認めるだろう。ゲームの前提は、ユーザーは交代でキャラクタに入浴行為を行い、そのうちのいずれかは、キャラクタに揺動を開始させ得るというものである。犬４は、本例においては、バスタブ６内に位置し、バスタブ６は必須ではないが、犬が揺動し始めると、水が周りに（部分的にユーザーに）噴霧されるか弾き飛ばされ得るように水を保持することができ、ゲームの魅力が増す。
【００４７】
犬４及びバス６は盤８上に置かれ、盤８上にはいくつかの盤目がある。使用の際、どの盤目へプレーヤーの駒が進められるかを決定するために、プレーヤーは交代でサイコロ１０を転がす。図２において、サイコロは青色面を上にして着いており、したがって、ユーザーは、盤上の次に利用可能な青い盤目へ駒を移動させる。盤目は、プレーヤーが、本例においては蛇口１２の形態の起動又は作動手段を３回作動させなければならないことを示す。本例においては、作動は、図３に示されるとおり、蛇口１２の４分の１（１／４）回転である。
【００４８】
蛇口１２の３回の作動又は４分の１回転は、犬４が振動又は揺動することをもたらさず、したがって、図４に示されるとおり、サイコロ１０を投げて自身の駒を移動させるのは第２のユーザーである。サイコロは、第２のプレーヤーが、黄色い盤目へ移動しなければならないことを示しており、ここではユーザーが、供給されたブラシ１４を使用して犬をブラッシングしなければならないことが示されており、この後、図５〜７に示されるとおり、蛇口１２を１度（４分の１回転を１回）作動又は回転させる。
【００４９】
作動時、これは、図８及び９に示されるとおり、犬の振動又は揺動の誘因となるか犬の振動又は揺動を開始する。この揺動は水の小滴をプレーヤーの上に放出し、彼らはスタートまで戻らなければならないこと及び／又はプレーヤーが犬を揺動させたことを示すゲームと関連しているカード１６のうちの１つを取り上げなければならないことを示す。本例においては、犬４は、毛皮及び耳の少なくとも一部を構成する可撓性材料を含む。振動時、毛皮及び耳は、激しく揺れ、犬の上に及び／又はバスの中に水を堆積させる。材料は、実質的に吸収性の材料を含んでもよく、又は実質的に吸収性の材料からなってもよく、その結果、水が使用される場合、そのいくらかはキャラクタにより取り上げられることになる。当業者は、水が使用されていても、使用されずプレーヤーの選択肢であっても、ゲームが効果的であり面白いことを認めるだろう。
【００５０】
この実施形態において、ゲームには、噴霧ボトルが装着されており、噴霧ボトルに対して、着いた盤目がプレーヤーにそうするように指示する場合、水が犬の上に噴霧され得る及び／又はバスに加えられる。当業者は、スポンジ、石鹸及び／又は同様のものを含む他の装置及び液体も組み込まれ得ることを認めるだろう。
【図１】
2019508195.tif 000003
【図２】
2019508195.tif 000004
【図３】
2019508195.tif 000005
【図４】
2019508195.tif 000006
【図５】
2019508195.tif 000007
【図６】
2019508195.tif 000008
【図７】
2019508195.tif 000009
【図８】
2019508195.tif 000010
【図９】
2019508195.tif 000011
【図１０】
2019508195.tif 000012
【国際調査報告】
2019508195.tif 000013
2019508195.tif 000014
2019508195.tif 000015
2019508195.tif 000016